【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
シート状もしくは板状の異なる表示性能および機能を有する電子及び非電子のディスプレイ手段の組み合わせからなる複合ディスプレイユニットにおいて、前記ディスプレイ手段の組み合わせを保持する保持手段と、前記電子ディスプレイ手段への電力供給手段とを一体化するとともに、該電力供給手段は、バッテリー兼前記ディスプレイ手段の組み合わせのカバー部材とからなることを特徴とする複合ディスプレイユニット。
【手続補正２】
【補正対象書類名】明細書
【補正対象項目名】発明の名称
【補正方法】変更
【補正の内容】
【発明の名称】複合ディスプレイユニット
【手続補正３】
【補正対象書類名】明細書
【補正対象項目名】０００１
【補正方法】変更
【補正の内容】
【０００１】
本発明は、複合ディスプレイユニットに関し、特に、情報等の入出力装置を一体化した複合ディスプレイユニットに関する。
【手続補正４】
【補正対象書類名】明細書
【補正対象項目名】０００８
【補正方法】変更
【補正の内容】
【０００８】
本発明は前記目的を達成するためのもので、第１に、シート状もしくは板状の異なる表示性能および機能を有する電子及び非電子のディスプレイ手段の組み合わせからなる複合ディスプレイユニットにおいて、前記ディスプレイ手段の組み合わせを保持する保持手段と、前記電子ディスプレイ手段への電力供給手段とを一体化するとともに、該電力供給手段は、バッテリー兼前記ディスプレイ手段の組み合わせのカバー部材とからなる複合ディスプレイユニットとした。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
シート状もしくは板状の異なる表示性能および機能を有する電子及び非電子のディスプレイ手段の組み合わせからなる複合ディスプレイユニットとしたので、これらの表示手段を適宜選ぶことにより、表示する内容に適した表示媒体を選ぶことが可能となった。
【手続補正７】
【補正対象書類名】明細書
【補正対象項目名】００１１
【補正方法】変更
【補正の内容】
【００１１】
また、このような複合ディスプレイユニットにおいて、前記ディスプレイ手段の組み合わせを保持する保持手段と、前記電子ディスプレイ手段への電力供給手段とを一体化するとともに、該電力供給手段は、バッテリー兼前記ディスプレイ手段の組み合わせのカバー部材としたので、それぞれのディスプレイ手段が故障、破損しても、そのディスプレイ手段のみを交換すればよく、大変経済的な可搬性表示体とすることができた。
【手続補正８】
【補正対象書類名】明細書
【補正対象項目名】００１２
【補正方法】変更
【補正の内容】
【００１２】
以下に、本発明に係る複合ディスプレイユニットの実施の形態について説明する。なお、以下に示す実施の形態は例示であり、これに限定されるものではない。
図１は、本発明に好適に適用されるディスプレイ手段の一例である有機ＥＬ素子の断面図であり、基板１上に順次第１電極２、電荷輸送性着色層３、発光層４および第２電極５が積層された構造になっている。この有機ＥＬ素子では、発光層４から放射された光は電荷輸送性着色層３、透明な第１電極２、透明な基板１を通して取り出される。この電荷輸送性着色層３がカラーフィルターとして機能し、発光スペクトル分布が修正され着色された光が取り出される。
【手続補正９】
【補正対象書類名】明細書
【補正対象項目名】００２８
【補正方法】変更
【補正の内容】
【００２８】
図３は、本発明に適用されるディスプレイ手段の一例である反射型液晶表示素子の概略構成を示す断面図であり、図４は、図３に示す反射型液晶表示素子に適用される表示用光学システムの一例を示す説明図である。
図３ならびに図４を用いて、本発明に適用される一例として液晶表示素子について説明する。ここでは消費電力が少なくてすむ反射型液晶表示素子の実施形態の説明をするが、これによって、本発明が限定されるものではない。
【手続補正１０】
【補正対象書類名】明細書
【補正対象項目名】００４６
【補正方法】変更
【補正の内容】
【００４６】
図５は、本発明に適用されるディスプレイ手段の一例であるマイクロカプセル型のディスプレイの断面図を示し、図６は、本発明に適用されるマイクロカプセル型のディスプレイの電極構成を示す部分破断斜視図である。デバイスは、一般的に、ＫＡＰＴＯＮ薄膜のような薄い、可撓性の材料である基板４０を備える。行電極４２は、印刷プロセスによって基板４０上に被着されていることが好ましい。例示の実施態様では、非線形バックプレーン４４は、粒状バリスター材料または粒状ダイオード材料の連続層である。４４で示す非線形バックプレーンの構造は、また、粒状シリコンの層、印刷された金属接点、及び、粒状シリコンの別の層とすることができる。代替的には、構造４４は、ＰＮＰＮＰＮＮＰＮＰＮＰのような上に向かうパターンで印刷された、Ｐ型及びＮ型のドーピングされた粒状半導体インクの層から構成することができる。任意の多くの数の層を印刷することができ、その最適な数は、主として所望の破壊電圧に依存して決まる。
【手続補正１１】
【補正対象書類名】明細書
【補正対象項目名】００５３
【補正方法】変更
【補正の内容】
【００５３】
次に、本発明に係る複合ディスプレイユニットの実施の形態の全体的構成について図９から図１１を用いて説明する。なお、以下に示す実施の形態は例示であり、これに限定されるものではない。
図９（Ａ）は、本発明の複合ディスプレイユニットの斜視図であり、このように外側カバー６０ならびにカバー留め具６１よりなり、ブック状に構成される。図９（Ｂ）は、留め具６１をはずし、内部を本のように開いた状態であり、保持されたディスプレイ手段６５は、バインダー６２により保持されている。
【手続補正１２】
【補正対象書類名】明細書
【補正対象項目名】００５４
【補正方法】変更
【補正の内容】
【００５４】
本発明においては、このディスプレイ手段６５として、上記説明のようなカラー表示を行う有機ＥＬによるディスプレイと、モノクロ表示を行う液晶ディスプレイと、電気泳動粒子を利用したディスプレイ、さらに古典的表示装置である紙をこの順序で積層し、このような電子的な表示装置と紙の混合群をバインダー６２（図１０）により保持している。紙は、ディスプレイ手段であるとともに、いわゆるノートとしての使い方もできるので、ディスプレイ手段ならびに書き込み媒体ということもできる。なお、ディスプレイ手段６５は先のような積層順序で積層するのが一般的であるが、このような積層順序に限られるものではなく、適宜任意の順序に変更することができる。
【手続補正１３】
【補正対象書類名】明細書
【補正対象項目名】００５５
【補正方法】変更
【補正の内容】
【００５５】
図１０は、本発明の複合ディスプレイユニットに適用されるバインダーを示す斜視図であり、図１１は、本発明の複合ディスプレイユニットに適用される各種ディスプレイ手段ならびに紙の概念を示す斜視図である。本発明の複合ディスプレイユニットは、ディスプレイ手段６５として、有機ＥＬディスプレイ、液晶ディスプレイ、電気泳動ディスプレイ、そして紙を有しているものであるが、これらのディスプレイ手段ならびに書き込み媒体には、複数個の穴６６を設け、バインダー６２のピン６４によって嵌合されている。そしてこのような電子的なディスプレイ手段と紙のような非電子的なディスプレイ手段の混合群は、本のようにめくることができるので、所望のディスプレイ手段を必要に応じて自由に使用することができる。
【手続補正１４】
【補正対象書類名】明細書
【補正対象項目名】００５６
【補正方法】変更
【補正の内容】
【００５６】
なお、このバインダー６２は、図１０に示すように、回転部６３を軸とし、バインダー留め部６２ｃとバインダー留め部６２ｄの着脱を行うことにより、バインダー６２ａとバインダー６２ｂに図の矢印方向に回転分割でき、ピン６４も分割され、ディスプレイ手段（あるいは紙）６５を着脱可能としている。
すなわち、紙などは筆記によりたまったものを新たな紙に交換することができる。また紙に限らず、上記電子的なディスプレイ手段も、故障等が生じた場合に交換することも簡単にできるようになっている。
【手続補正１５】
【補正対象書類名】明細書
【補正対象項目名】００５７
【補正方法】変更
【補正の内容】
【００５７】
次に、本発明の他の特徴について説明する。
前述のように、本発明は、電子的なディスプレイ手段と非電子的なディスプレイである紙の混合群よりなる複合ディスプレイユニットであるが、このような電子的な表示媒体に電力を供給する構成について説明する。
【手続補正１６】
【補正対象書類名】明細書
【補正対象項目名】００５８
【補正方法】変更
【補正の内容】
【００５８】
本発明の複合ディスプレイユニットは、本来の趣旨（表示機能あるいは書き込み機能）からいえば、ディスプレイ手段６５を上記のように積層したものをバインダー６２によって保持すれば一応機能する。しかしながら、本発明では図９に示すように、内容物であるディスプレイ手段６５をバインダー６２によって保持するとともに、外側カバー６０によって覆っている。これは高価な電子的なディスプレイ手段である内容物を保護するためのものであるが、本発明においては、この外側カバー６０に内容物を保護する以上の機能を持たせている。すなわち、電子的なディスプレイ手段への電力供給手段としての機能である。
具体的には本発明においては、外側カバー６０を全体を１枚のシート状構成としたバッテリーとしている。より具体的には、ポリマー電解質電池が好適に用いることができる。
【手続補正１７】
【補正対象書類名】明細書
【補正対象項目名】００６９
【補正方法】変更
【補正の内容】
【００６９】
このように、ポリマー電解質電池では、電解質をシート状にすることができ、それによって、例えばＡ５版〜Ａ３版などの大面積でしかも薄形の電池の作製が可能になる。このようなポリマー電解質を用いた電池は、耐漏液性を含めた安全性、貯蔵性が優れている。このポリマー電解質電池は、通常、アルミニウムフィルムを芯材にしたラミネートフィルムを外装体に用い、薄いシート状の電極とシート状のポリマー電解質層とを積層したユニットセルを上記外装体で外装して密閉することによって、薄形電池に仕上げられる。さらに薄く、フレキシブルなものとすることができるので、機器の形状に合わせた電池を設計できる。よって、本発明のような電子的なディスプレイ手段を積層し、ブック状にしたものの外側カバー６０として好適に適用でき、カバーと電力供給を兼ね備えた構成とすることができる。
【手続補正１８】
【補正対象書類名】明細書
【補正対象項目名】００７０
【補正方法】変更
【補正の内容】
【００７０】
以上の説明より明らかなように、本発明では、シート状もしくは板状の異なる表示性能および機能を有する電子及び非電子のディスプレイ手段の組み合わせからなる複合ディスプレイユニットにおいて、前記ディスプレイ手段の組み合わせを保持する保持手段と、前記電子ディスプレイ手段への電力供給手段とを一体化するとともに、該電力供給手段は、バッテリー兼前記ディスプレイ手段の組み合わせのカバー部材とすることによって構成される。そしてそれぞれ、カラー表示を必要とする場合、モノクロ表示で充分な場合、動画表示を必要とする場合、静止画表示で充分な場合、さらには、書き込みを必要とする場合といった用途に応じた表示手段あるいは書き込みならびにその書き込み後の情報の表示手段としてそれぞれの特性に応じて効果的に活用できるという利点がある。
【手続補正１９】
【補正対象書類名】明細書
【補正対象項目名】００７１
【補正方法】変更
【補正の内容】
【００７１】
【図１】本発明に適用される有機ＥＬ素子の断面図である。
【図２】本発明に適用されるフルカラー有機ＥＬ素子の断面図である。
【図３】本発明に適用される反射型液晶表示素子の概略構成を示す断面図である。
【図４】図３に示す反射型液晶表示素子に適用される表示用光学システムの一例を示す説明図である。
【図５】本発明に適用される電気泳動ディスプレイの断面図である。
【図６】本発明に適用される電気泳動ディスプレイの電極構成を示す部分波断斜視図である。
【図７】本発明に適用される電気泳動ディスプレイで単一のタイプまたは色の粒子を含む電気泳動マイクロカプセルによるディスプレイ表示の動作原理を示す図である。
【図８】本発明に適用される電気泳動ディスプレイで複数のタイプまたは色の粒子を含む電気泳動マイクロカプセルによるディスプレイ表示の動作原理を示す図である。
【図９】本発明の複合ディスプレイユニットを示す図である。
【図１０】本発明の複合ディスプレイユニットに適用されるバインダーを示す斜視図である。
【図１１】本発明の複合ディスプレイユニットに適用される各種ディスプレイ手段ならびに紙の概念を示す斜視図である。
【図１２】本発明に適用されるポリマー電解質電池を模式的に示す断面図である。
【図１３】本発明に適用されるポリマー電解質電池のゲル状ポリマー電解質保持正極ユニットを模式的に示す断面図である。
【図１４】本発明に適用されるポリマー電解質電池のゲル状ポリマー電解質保持負極ユニットを模式的に示す断面図である。
【手続補正２０】
【補正対象書類名】明細書
【補正対象項目名】００７２
【補正方法】変更
【補正の内容】
【００７２】
１…基板、２…第１電極、３…電荷輸送性着色層、４…発光層、５…第２電極、６…赤色電荷輸送性着色層、７…緑色電荷輸送性着色層、８…青色電荷輸送性着色層、１０…信号電極側基板、１１…透光性基板、１２…反射層（光反射層）、１３…光散乱層（透光性樹脂層）、１４…光散乱粒子、１５…信号電極（液晶駆動用電極）、１６…液晶配向膜、１７…液晶材料、１８…スペーサー、１９…シール樹脂層、２０…走査電極側基板、２１…透光性基板、２２…走査電極、２３…液晶配向膜、２７…偏光位相差板、３０…液晶表示素子（反射型液晶表示素子）、３１…反射用光源、４０…基板、４１…電気光学ディスプレイ、４２…電極、４４…非線形バックプレーン、４６…電極、４７…マイクロカプセル、４８…レーン、４９…電極、５０…レーン、５１…着色粒子、５２…染料添加懸濁流体、５３…懸濁流体、５４…電荷を有する着色粒子、５５…非電荷粒子、５６…別の色にした粒子、６０…外側カバー、６１…カバー留め具、６２（６２ａ、６２ｂ）…バインダー、６２ｃ…バインダー留め部ｃ、６２ｄ…バインダー留め部ｄ、６３…回転部、６４…ピン、６５…ディスプレイ手段、６６…穴、７０…ゲル状ポリマー電解質保持正極ユニット、７１…正極端子、７２…ゲル状ポリマー電解質保持負極ユニット、７３…負極端子、７４…外装体、７５…正極、７６…ゲル状ポリマー電解質、７７…支持体、７８…負極。